(57)【要約】【目的】カラスなどが水門の可動部分に集合するのを防止すると共に、水門の遮水板とこれを支持する支持枠部との隙間にごみななどが入り難くして動作不良を発生させることなく水門を良好に維持させることができる水門用防鳥カバーを提供する。【解決手段】水門の開放状態における前記遮水板の上端位置となる左右一対の前記支持枠部の天端に覆設されると共に、前記遮水板の遮水面方向に下向き前方に傾斜した前部傾斜面と、前記前部傾斜面に直交して前記遮水板の側面側に向けて傾斜した側部傾斜面とを有して全体が略Ｌ字状に形成されるように構成した水門用防鳥カバーとする。【選択図】　　　　　図８
0003097432.tif 000002
【実用新案登録請求の範囲】
【請求項１】
河川水や下水などが流入される堤防の排水部に配設され上下にスライドして開閉される矩形状の遮水板と、前記遮水板の左右両側部に嵌合して前記遮水板をスライド支持する左右一対の支持枠部とを備えた水門に設けられる水門用防鳥カバーであって、
前記支持枠部の天端に覆設されると共に、前記遮水板の遮水面方向に下向き前方に傾斜した前部傾斜面と、前記前部傾斜面に直交して前記遮水板の側面側に向けて傾斜した側部傾斜面とを有して全体が略Ｌ字状に形成されていることを特徴とする水門用防鳥カバー。
【請求項２】
河川水や下水などが流入される堤防の排水部に配設され上下にスライドして開閉される矩形状の遮水板と、前記遮水板の左右両側部に嵌合して前記遮水板をスライド支持する左右一対の支持枠部とを備えた水門に設けられる水門用防鳥カバーであって、
前記支持枠部の天端に覆設されると共に、前記遮水板の遮水面方向に下向き前方に傾斜した前部傾斜面と、前記前部傾斜面に直交して前記遮水板の側面側に向けて傾斜した側部傾斜面とを有して全体が略Ｌ字状に形成され、しかも、前記前部傾斜面又は側部傾斜面が前記支持枠体の遮水板摺動面より内側に延設されて形成された屋根状傾斜面を有していることを特徴とする水門用防鳥カバー。
【請求項３】
河川水や下水などが流入される堤防の排水部に配設され上下にスライドして開閉される矩形状の遮水板と、前記遮水板の左右両側部に嵌合して前記遮水板をスライド支持する左右一対の支持枠部とを備えた水門に設けられる水門用防鳥カバーであって、
前記支持枠部の天端に覆設されると共に、前記遮水板の遮水面方向に下向き前方に傾斜した前部傾斜面と、前記前部傾斜面に直交して前記遮水板の側面側に向けて傾斜した側部傾斜面とを有して全体が略Ｌ字状に形成されており、しかも、前記前部傾斜面及び／又は前記側部傾斜面に鳥類が忌避する鳥忌避パターンが配置されていることを特徴とする水門用防鳥カバー。
【請求項４】
河川水や下水などが流入される堤防の排水部に配設され上下にスライドして開閉される矩形状の遮水板と、前記遮水板の左右両側部に嵌合して前記遮水板をスライド支持する左右一対の支持枠部とを備えた水門に設けられる水門用防鳥カバーであって、
前記支持枠部の天端に覆設されると共に、前記遮水板の遮水面方向に下向き前方に傾斜した前部傾斜面と、前記前部傾斜面に直交して前記遮水板の側面側に向けて傾斜した側部傾斜面とを有して全体が略Ｌ字状に形成されると共に、前記前部傾斜面又は側部傾斜面が前記支持枠体の遮水板摺動面より内側に延設されて形成された屋根状傾斜面を有し、しかも、前記前部傾斜面及び／又は前記側部傾斜面に鳥類が忌避する鳥忌避パターンが配置されていることを特徴とする水門用防鳥カバー。
【考案の詳細な説明】
【０００１】
【考案の属する技術分野】
本考案はスルース式の水門に設けられ鳥の糞やごみなどが詰まることによる水門の作動不良を効果的に防止することができる水門用防鳥カバーに関する。
【０００２】
【従来の技術】
従来の堤防などに設けられる水門や樋門、樋渡樋管などにおいては、その水路に水門を設置した時に得られる最高水位（有効高）と遮水板の高さをほぼ同じ高さとして、遮水板高さの２倍以上の戸当り部によって、遮水板をスライド可能に支持するような構造になっている。
【０００３】
このような戸当たり部箱抜きタイプの土木構造物においては、戸当り金物上面でコンクリートを打ち止めした施工形態がとられているため、戸当り金物を箱抜き部に据え付けしてコンクリートを打設した場合、戸当り金物最上部の戸溝部に鳥が停まれるぐらいの平面ができていた。
【０００４】
【考案が解決しようとする課題】
従来の水門においては、水門が配置される堤防などの構造体の壁際や隅部に鳥が停まれるぐらいの平坦部が形成されたものが用いられるため、この平坦部に鳥類などが営巣したり、放置された弁当の空箱や空き缶などが集まったりして、周囲のごみや鳥糞などが水門の遮水板をスライドさせて支持する戸当り金物などの支持枠部の隙間に入り込んで、水門の動作不良を起こすという問題があった。また、鳥の糞などで外観が損ねられるという美観上の問題もあった。
【０００５】
本考案は前記従来の課題を解決するためになされたもので、カラスなどが水門の可動部分に集合するのを防止すると共に、水門の遮水板とこれを支持する支持枠部との隙間にごみなどが入り難くして動作不良を発生させることなく水門を良好に維持させることができる水門用防鳥カバーを提供することを目的とする。
【０００６】
【課題を解決するための手段】
（１）前記課題を解決するための本考案は、河川水や下水などが流入される堤防の排水部に配設され上下にスライドして開閉される矩形状の遮水板と、前記遮水板の左右両側部に嵌合して前記遮水板をスライド支持する左右一対の支持枠部とを備えた水門に設けられる水門用防鳥カバーであって、前記支持枠部の天端に覆設されると共に、前記遮水板の遮水面方向に下向き前方に傾斜した前部傾斜面と、前記前部傾斜面に直交して前記遮水板の側面側に向けて傾斜した側部傾斜面とを有して全体が略Ｌ字状に形成されて構成されている。これによって、簡単な構造により平坦部をなくして傾斜面が形成されるので、カラスなどが集まるのを防止できると共に、空き缶などが放置されて水門の遮水板と支持枠部との隙間に入らないようにして水門を良好に維持させることができる。
【０００７】
（２）本考案は、河川水や下水などが流入される堤防の排水部に配設され上下にスライドして開閉される矩形状の遮水板と、前記遮水板の左右両側部に嵌合して前記遮水板をスライド支持する左右一対の支持枠部とを備えた水門に設けられる水門用防鳥カバーであって、前記支持枠部の天端に覆設されると共に、前記遮水板の遮水面方向に下向き前方に傾斜した前部傾斜面と、前記前部傾斜面に直交して前記遮水板の側面側に向けて傾斜した側部傾斜面とを有して全体が略Ｌ字状に形成され、しかも、前記前部傾斜面又は側部傾斜面が前記支持枠体の遮水板摺動面より内側に延設されて形成された屋根状傾斜面を有している。これによって、簡単な構造により平坦部をなくして傾斜面が形成されるので、カラスなどが集まるのを防止できると共に、空き缶などが放置されて水門の遮水板と支持枠部との隙間に入らないようにして水門を良好に維持させることができ、さらに、水門の開放時には遮水板と支持枠部との隙間がその上部で屋根状傾斜面により塞がれ、異物などが入り込むことがなく、水門のメンテナンス性をさらに高めることができる。
（３）本考案は、河川水や下水などが流入される堤防の排水部に配設され上下にスライドして開閉される矩形状の遮水板と、前記遮水板の左右両側部に嵌合して前記遮水板をスライド支持する左右一対の支持枠部とを備えた水門に設けられる水門用防鳥カバーであって、前記支持枠部の天端に覆設されると共に、前記遮水板の遮水面方向に下向き前方に傾斜した前部傾斜面と、前記前部傾斜面に直交して前記遮水板の側面側に向けて傾斜した側部傾斜面とを有して全体が略Ｌ字状に形成され、しかも、前記前部傾斜面及び／又は前記側部傾斜面に鳥類が忌避する鳥忌避パターンが配置されている。これによって、簡単な構造により平坦部をなくして傾斜面が形成されるので、カラスなどが集まるのを防止できると共に、さらに他の鳥についても水門の周囲に集まるのをより効果的に防止でき、さらには新たなデザイン性を付加することもでき、美観上にも優れた水門用防鳥カバーを提供できる。
【０００８】
（４）本考案は、河川水や下水などが流入される堤防の排水部に配設され上下にスライドして開閉される矩形状の遮水板と、前記遮水板の左右両側部に嵌合して前記遮水板をスライド支持する左右一対の支持枠部とを備えた水門に設けられる水門用防鳥カバーであって、前記支持枠部の天端に覆設されると共に、前記遮水板の遮水面方向に下向き前方に傾斜した前部傾斜面と、前記前部傾斜面に直交して前記遮水板の側面側に向けて傾斜した側部傾斜面とを有して全体が略Ｌ字状に形成されると共に、前記前部傾斜面又は側部傾斜面が前記支持枠体の遮水板摺動面より内側に延設されて形成された屋根状傾斜面を有し、しかも、前記前部傾斜面及び／又は前記側部傾斜面に鳥類が忌避する鳥忌避パターンが配置されている。これによって、簡単な構造により平坦部をなくして傾斜面が形成されるので、カラスなどが集まるのを防止できると共に、空き缶などが放置されて水門の遮水板と支持枠部との隙間に入らないようにして水門を良好に維持させることができ、さらに、水門の開放時には遮水板と支持枠部との隙間がその上部で屋根状傾斜面により塞がれ、異物などが入り込むことがなく、水門のメンテナンス性をさらに高めることができる。また、他の鳥についても水門の周囲に集まるのをより効果的に防止できると共に、新たなデザイン性を付加することもでき、美観上にも優れた水門用防鳥カバーを提供できる。
【０００９】
【考案の実施の形態】
（実施の形態１）
本考案の実施の形態に係る水門用防鳥カバーについて図面を参照しながら説明する。
【００１０】
図１は実施の形態１の水門用防鳥カバーが適用される水門周辺船の断面図であり、図２は水門の正面図、図３は水門の側面図である。
【００１１】
図１〜図３において、１０は堤防に設けられたスルース式の水門、１１は水門１０を構成して堤防の排水部に固定されるコンクリート構造体、１２はコンクリート構造体１１の排水部に配設されて開閉される矩形状の遮水板、１３、１４はコンクリート構造体１１に取り付けられ遮水板１２の左右両側部に嵌合して遮水板１２をスライド支持する左右一対の支持枠部（戸当り金物）、１５はその端部がスルース式の水門１０の排水部に接続されて堤防に埋設され下水などを下流の排水溝１５ａを介して河川に流すためのヒューム管、１６はその下端が遮水板１２の係止部１２ａを介して係止され上下方向に遮水板１２をスライド移動させるためのロッドやスライドラック、１７はスライドラック１６を昇降させるための開閉機、１８はスライドロッド１６の揺動を防止するための振れ止め部材、１９は水門上部に設けられ開閉機１７などが収容される操作建屋、１９ａは開閉機１７が作動中であるときに点滅して警告するための警告灯、１９ｂは機械操作室１９に連絡する管理橋である。
【００１２】
スルース式の水門１０は、堤防の表のり面に固定されたコンクリート構造体１１に設置される。このコンクリート構造体１１の排水部に接続されるヒューム管１５を介して下水などが取り込まれ、遮水板１２が支持枠部１３、１４の下端閉止位置から引き上げられた開放状態で河川に面した排水溝１５ａから下水が放流されるようになっている。
【００１３】
開閉機１７は電動モータなどで駆動される機械式のものの他に、ハンドルを手で回して動かす手動式のものなどが適用して、スライドラック１６を昇降させることができる。水門１０は、支持枠部１３、１４に昇降可能に取り付けられた遮水板１２と、この支持枠部１３、１４上に設置された開閉機１７とをスライドラック１６を介して連結し、スライドラック１６で遮水板１２を昇降駆動可能に吊支したものである。なお、支持枠部１３、１４上には、この開閉機１７や警告灯１９ａ、図示しない電気設備等を収容するための操作建屋１９が設けられる。
【００１４】
こうして、スイッチを投入して開閉機１７を作動させると、スライドラック１６に噛み合った開閉機１７のギアが一方向に回転して、このスライドラック１６を上方に引き上げる。スライドラック１６の下端に係止部１２ａを介して固定された遮水板１２が引き上げられ、水門１０が開放される。
【００１５】
また、水門１０を閉鎖するに際には、スライドラック１６と噛み合った開閉機１７のギアを逆回転させれば良く、このことで遮水板１２が下降して水門が閉鎖される。なお、スライドラック１６を昇降させる際、振れ止め部材１８が所定間隔に複数設けられており、昇降動作が安定に行えるようにしている。
【００１６】
図４は水門の詳細正面図、図５はその詳細側面図、図６はその詳細平面図である。
【００１７】
図４〜図６において、２０はスルース式の水門１０の開放状態における遮水板１２の上端位置となる支持枠部１３、１４の天端２１にそれぞれ覆設される実施の形態１の水門用防鳥カバー、２２は遮水板１２の遮水面方向に下向き前方に傾斜した水門用防鳥カバー２０の前部傾斜面、２３は前部傾斜面２２に直交して遮水板１２の側面側に向けて傾斜した防鳥カバー２０の側部傾斜面、２４は遮水板１２の左右側の遮水面に設けられ遮水板１２と支持枠部１３、１４との間隙を密封するためのゴムなどからなるシール部材、２５は遮水板１２を支持枠部１３、１４にスライド自在に支持させるためにその前側に配置された遮水板取り付け部材である。
【００１８】
水門用防鳥カバー２０は、鉄板やステンレススチール板を所定形状に切断又は折り曲げて、前部傾斜面２２と側部傾斜面２３を形成したものや、コンクリートを前部傾斜面と側部傾斜面を備えた所定形状の型枠などに流し込んでブロック状に硬化させることにより形成したものなどが適用できる。この水門用防鳥カバー２０は支持枠部１３、１４の天端２１部分の壁際や隅部にボルトナットなどによる締結手段や、アーク溶接などの溶接手段により固定配置される。
【００１９】
図７は水門１０に配置された左右一対の水門用防鳥カバー２０の片側からみた斜視図であり、図８は水門用防鳥カバーの拡大斜視図である。
【００２０】
図７及び図８に示すように、水門用防鳥カバー２０は水門１０が取り付けられるコンクリート構造体１１の壁部に配置された支持枠体１３、１４の天端２１の壁際にボルトなどの締結部材２１ａを介して固定される。これによって、前部傾斜面２２と側部傾斜面２３とが支持枠体１３、１４の上部に開口した両端側の周縁に形成されるので、鳥などが営巣したり集まったりするのを防止でき、また、空き缶などのごみが上から落下しても、支持枠部１３、１４の遮水板１２がスライドする溝部に入り込むことなく、慣性により下方手前に排出されるので、異物の噛み込みや挟み込みによる作動不良などのトラブルを未然に防止できる。
【００２１】
（実施の形態２）
図９は本考案の実施の形態２に係る水門用防鳥カバーの斜視図である。
【００２２】
図９において、３０は実施の形態２の水門用防鳥カバー、３１は遮水板１２の遮水面方向に下向き前方に傾斜すると共に遮水板取り付け部材２５上部に先側が延設された屋根状傾斜面が形成された水門用防鳥カバー３０の前部傾斜面、３２は前部傾斜面３１に直交して遮水板１２の側面側に向けて傾斜した防鳥カバー３０の側部傾斜面である。なお、実施の形態２の水門用防鳥カバーは、実施の形態１の水門用防鳥カバー２０の前部傾斜面２２を下流側に延長して屋根状傾斜面を形成して支持枠部１３、１４両サイドの遮水板１２がスライドする溝部の上部を塞ぐようにしたものであり、その他の主要構成は同じなので、これら同一の機能を有するものについては同一の符号を付してその説明を省略する。
【００２３】
また、支持枠部１３、１４の天端２１に配置される水門用防鳥カバー３０の延長される屋根状傾斜面を、側部傾斜面３２側に設けることもできる。
【００２４】
図示するように側部傾斜面３２には印刷や塗装、シール貼り付けなどにより鳥の忌避する目玉状などの鳥忌避パターンＰが形成されており、これによって、鳥が水門に近づくのをさらに効果的に防止するようにしている。なお、鳥忌避パターンＰは左右いずれかの水門用防鳥カバー３０における前部傾斜面３１や側部傾斜面３２にも必要に応じて所定のパターンのものを形成させることができる。
【００２５】
水門用防鳥カバー３０は金物以外の素材で構成することもできる。例えば、傾斜面を有してブロック状に成形されたプラスチック類や、レンガなどのセラミックス類を支持枠部１３、１４の天端２１に接着剤などやボルトナットなどを介して固定配置することもできる。この水門用防鳥カバー３０は遮水板１２の交換や補修の際には取り外して作業することができ、水門のメンテナンス性やデザイン性にも優れている。
【００２６】
【考案の効果】
（１）請求項１に記載の考案によれば、簡単な構造により平坦部をなくして傾斜面が形成されるので、カラスなどが集まるのを防止できると共に、空き缶などが放置されて水門の遮水板と支持枠部との隙間に入らないようにして水門を良好に維持させることができる。
【００２７】
（２）請求項２に記載の考案によれば、簡単な構造により平坦部をなくして傾斜面が形成されるので、カラスなどが集まるのを防止できると共に、空き缶などが放置されて水門の遮水板と支持枠部との隙間に入らないようにして水門を良好に維持させることができ、さらに、水門の開放時には遮水板と支持枠部との隙間がその上部で屋根状傾斜面により塞がれ、異物などが入り込むことがなく、水門のメンテナンス性をさらに高めることができる。
【００２８】
（３）請求項３に記載の考案によれば、簡単な構造により平坦部をなくして傾斜面が形成されるので、カラスなどが集まるのを防止できると共に、さらに他の鳥についても水門の周囲に集まるのをより効果的に防止でき、さらには新たなデザイン性を付加することもでき、美観上にも優れた水門用防鳥カバーを提供できる。
【００２９】
（４）請求項４に記載の考案によれば、簡単な構造により平坦部をなくして傾斜面が形成されるので、カラスなどが集まるのを防止できると共に、空き缶などが放置されて水門の遮水板と支持枠部との隙間に入らないようにして水門を良好に維持させることができ、さらに、水門の開放時には遮水板と支持枠部との隙間がその上部で屋根状傾斜面により塞がれ、異物などが入り込むことがなく、水門のメンテナンス性をさらに高めることができる。また、他の鳥についても水門の周囲に集まるのをより効果的に防止できると共に、新たなデザイン性を付加することもでき、美観上にも優れた水門用防鳥カバーを提供できる。
【図面の簡単な説明】
【図１】実施の形態１の水門用防鳥カバーが適用される水門周辺船の断面図である。
【図２】水門の正面図である。
【図３】水門の側面図である。
【図４】水門の詳細正面図である。
【図５】その詳細側面図である。
【図６】その詳細平面図である。
【図７】水門に配置された水門用防鳥カバーを片側からみた斜視図である。
【図８】実施の形態１の水門用防鳥カバーの拡大斜視図である。
【図９】実施の形態２の水門用防鳥カバーの拡大斜視図である。
【符号の説明】
１０　水門
１１　コンクリート構造体
１２　遮水板
１２ａ　係止部
１３、１４　支持枠部
１５　ヒューム管、
１５ａ　排水溝
１６　スライドラック
１７　開閉機
１８　振れ止め部材
１９　機械操作室
１９ａ　警告灯
１９ｂ　管理橋
２０　実施の形態１の水門用防鳥カバー
２１　天端
２１ａ　締結部材
２２　前部傾斜面
２３　側部傾斜面
２４　シール部材
２５　遮水板取り付け部材
３０　実施の形態２の水門用防鳥カバー
３１　前部傾斜面
３２　側部傾斜面
Ｐ　鳥忌避パターン
【図１】
0003097432.tif 000003
【図２】
0003097432.tif 000004
【図３】
0003097432.tif 000005
【図４】
0003097432.tif 000006
【図５】
0003097432.tif 000007
【図６】
0003097432.tif 000008
【図７】
0003097432.tif 000009
【図８】
0003097432.tif 000010
【図９】
0003097432.tif 000011